(57)【要約】【課題】  容易かつ確実に錠剤を分断することができ、さらに携帯性に優れた錠剤分断機器を提供することを目的とする。【解決手段】  図示する鋏のハンドル10b、20bにはそれぞれ支持台15D、25Dを介して加圧片15、25が取り付けられている。この加圧片15、25の間で、パッケージに収容された状態の錠剤を挟み込み、加圧することで錠剤に分割又は粉砕等を施す。なお、支持台15D、25Dの形態は柔軟性を有する構造であり、加圧片15、25の平坦面の全体に均一的に圧力が加えられる。【選択図】  図1
2018114099.tif 000002
【特許請求の範囲】
【請求項１】
一端側に形成された第一刃部、及び他端側に形成された第一持ち手部を有する第一本体、
一端側に形成された第二刃部、及び他端側に形成された第二持ち手部を有する第二本体、
第一本体と第二本体とを、開き方向及び閉じ方向に向けて回動可能に接続する接続部であって、閉じ方向へ回動したとき、第一刃部と第二刃部とが互いに擦り動いて、切断対象物を切断するように第一本体と第二本体とを接続する接続部、
第一持ち手部に形成された第一錠剤分断部、
第一錠剤分断部と接触可能に、第二持ち手部に形成された第二錠剤分断部、
を備えた錠剤分断機器であって、
第一本体と第二本体とが閉じ方向へ回動したとき、第一錠剤分断部と第二錠剤分断部とは接触に向けて接近し、分断対象となる錠剤を加圧して分断することが可能であり、
第一錠剤分断部及び第二錠剤分断部の双方又はいずれか一方には、分断対象となる錠剤を保持して加圧するために十分な保持面が形成されている、
ことを特徴とする錠剤分断機器。
【発明の詳細な説明】
【技術分野】
【０００１】
本発明は、錠剤の分断に関する技術であり、容易かつ確実な錠剤の分割又は粉砕等を実現する技術である。
【背景技術】
【０００２】
錠剤は、有効成分又は有効成分に乳糖やデンプンからなる賦形剤等を加えたものを、圧縮形成等の方法により一定の形状に成形した固形の製剤である。錠剤は一定の大きさ、形状に成形されているため、一定量の製剤を容易に服用することができる。
【０００３】
しかし、その反面、服用量を微妙に調整することができないという問題がある。また、錠剤の大きさ、形状そのままでは高齢者、乳幼児等にとって服用が困難な場合があり、複数の製剤を同時に服用する場合、さらに服用に困難が伴うという問題がある。
【０００４】
このため、服用に際して、錠剤を複数の部分に分割したり、粉砕して粉状にすることがあるが、本来、服用に適するよう比較的小さく成形された錠剤をさらに分割・粉砕することは容易ではなく、刃物等を用いた場合、分割・粉砕の作業には危険が伴う。
【０００５】
このような問題を解決するために、後記特許文献１及び特許文献２に開示された技術が提案されている。特許文献１には、回転するスライシングリブによって、錠剤を所望粒度の粉末に粉砕する錠剤粉砕用の粉砕装置が開示されている。また、特許文献２には、上刃と下刃とで挟み込むことによって錠剤を所望の位置で切断する錠剤切断用の錠剤切断装置が開示されている。
【先行技術文献】
【特許文献】
【０００６】
【特許文献１】特開平０５−２６１３１２号公報
【特許文献２】特開２０００−８４０４９号公報
【発明の概要】
【発明が解決しようとする課題】
【０００７】
前記特許文献１及び特許文献２に開示された技術は、錠剤を粉砕又は切断するための専用の機器であり、病院等の医療の現場において常時、携帯するには不便であるという問題がある。すなわち、病院等の医療の現場では、錠剤の服用者の状態に応じ、医療従事者が錠剤に分割、粉砕等を施して、服用者に服用させることがあるが、医療従事者は通常、鋏、筆記具、検査機器、医療カルテ等を携帯していることが多く、さらに錠剤を分割、粉砕するための専用機器を携帯するのは難しい。
【０００８】
そこで本発明は、このような問題を解決することを課題とし、容易かつ確実に錠剤を分断することができ、さらに携帯性に優れた錠剤分断機器を提供することを目的とする。
【課題を解決するための手段】
【０００９】
本発明に係る錠剤分断機器は、
一端側に形成された第一刃部、及び他端側に形成された第一持ち手部を有する第一本体、
一端側に形成された第二刃部、及び他端側に形成された第二持ち手部を有する第二本体、
【００１０】
第一本体と第二本体とを、開き方向及び閉じ方向に向けて回動可能に接続する接続部であって、閉じ方向へ回動したとき、第一刃部と第二刃部とが互いに擦り動いて、切断対象物を切断するように第一本体と第二本体とを接続する接続部、
第一持ち手部に形成された第一錠剤分断部、
第一錠剤分断部と接触可能に、第二持ち手部に形成された第二錠剤分断部、
を備えた錠剤分断機器であって、
【００１１】
第一本体と第二本体とが閉じ方向へ回動したとき、第一錠剤分断部と第二錠剤分断部とは接触に向けて接近し、分断対象となる錠剤を加圧して分断することが可能であり、
第一錠剤分断部及び第二錠剤分断部の双方又はいずれか一方には、分断対象となる錠剤を保持して加圧するために十分な保持面が形成されている、
ことを特徴とする。
なお、本発明において錠剤の分断とは、錠剤を複数の部分に分割する場合や、錠剤を粉々に粉砕する場合等を意味する。
【発明の効果】
【００１２】
本発明に係る錠剤分断機器においては、第一持ち手部及び第二持ち手部に形成された第一錠剤分断部及び第二錠剤分断部によって、分断対象となる錠剤を加圧して分断することが可能である。このため、容易かつ確実に錠剤を分断することができる。
【００１３】
また、切断対象物を切断するための第一刃部と第二刃部とは鋏として機能するものであり、錠剤分断の専用機器ではない。このため、鋏と別に錠剤分断の機器を携帯する必要がなく、携帯性に優れている。
【図面の簡単な説明】
【００１４】
【図１】本発明に係る錠剤分断機器の第一の実施形態を示す錠剤分断機能付き鋏の全体構成を示す図である。
【図２】図１に示す加圧片15近傍の拡大図である。
【図３】加圧片15を図2に示す矢印91方向から見た図である。
【図４】加圧片15の平坦面に、パッケージ70に収容された錠剤75を載せた状態を示す図である。
【図５】本発明に係る錠剤分断機器の第二の実施形態を示す図であり、加圧片26近傍の拡大図である。
【図６】加圧片26を図5に示す矢印92方向から見た図である。
【図７】本発明に係る錠剤分断機器の第三の実施形態を示す図であり、スライド部50近傍の拡大図である。
【発明を実施するための形態】
【００１５】
［実施形態における用語説明］
実施形態において示す主な用語は、それぞれ本発明に係る錠剤分断機器の下記の構成要素に対応している。
刃体10、20…第一本体又は第二本体
刃10a、20a…第一刃部又は第二刃部
ハンドル10b、20b…第一持ち手部又は第二持ち手部
加圧片15、25、26、27、28…第一錠剤分断部又は第二錠剤分断部
加圧片15、25、26、27、28の各々の平坦面…保持面
ネジ30…接続部
［第一の実施形態］
【００１６】
本発明に係る錠剤分断機器の第一の実施形態を示す錠剤分断機能付き鋏を図面に基づいて説明する。図1に示すように、刃体10、20はネジ30で接続されており、開き方向81及び閉じ方向82に回動可能である。回動は、ハンドル10b、20bに使用者が指を入れて把持して操作する。
【００１７】
刃体10、20には、鋏としての機能を確保するため、それぞれ一端側に刃10a、20aが形成されており、刃体10、20を閉じ方向82方向に閉じることによって切断対象物を切断する。なお、病院等の医療現場では、錠剤のパッケージの切断等、鋏が頻繁に用いられる。
【００１８】
ハンドル10b、20bには、それぞれ内側に加圧片15、25が設けられている。図2は加圧片15近傍の拡大図である。加圧片15は支持台15Dを介してハンドル10bに取り付けられている。本実施形態では、支持台15D及び加圧片15を固定用ねじ（図示せず）が貫通し、ハンドル10bに捩じ込まれて固定されている。なお、刃体10、20を閉じ方向82に閉じたとき、加圧片15、25は互いに接触するが、刃10a、20aが十分に閉じて切断対象物を切断できるような形状に刃体10、20は構成されている。
【００１９】
支持台15Dはシリコン部材等によって形成され、形態に柔軟性を有している。このため、これに支持されている加圧片15は矢印95方向に自在に動くことができ、加圧片15の表面側の平坦面は角度変化が可能である。なお、支持台15Dをシリコン部材ではなく、内部にスプリングを備えた部材で構成することによって、加圧片15の矢印95方向への動きを確保することもできる。
【００２０】
図2に示す矢印91方向から見た図が図3である。加圧片15の平坦面には滑り止め15Jが形成されている。本実施形態における滑り止め15Jは微細な凹凸で滑り止めの機能を確保しているが、たとえばゴム部材で構成することで滑り止めの技術的効果を生じさせることもできる。
【００２１】
図1に示す加圧片25も、加圧片15と同様の構成を有している。すなわち、加圧片25は支持台25Dを介してハンドル20bに取り付けられており、支持台25Dの形態の柔軟性によって自在に動くことができる。また、加圧片25の平坦面には滑り止めが形成されている。
【００２２】
病院等の医療現場で錠剤を粉状に粉砕する必要が生じた場合、図4に示すように、加圧片15の平坦面に、パッケージ70に収容された状態の錠剤75を載せる。そして、この状態でハンドル10b、20bを握り込んで閉じ、加圧片15の平坦面と加圧片25の平坦面の双方で錠剤75に圧力を加えて粉砕する。
【００２３】
上述のように、加圧片15、25の平坦面は、支持台15D、25Dの形態の柔軟性によって角度変化が可能であるため、ハンドル10b、20bが握り込みによって回動して閉じた場合、加圧片15、25の平坦面には全面にわたって均一的に圧力が加わる。したがって錠剤75全体を適切に粉砕することができる。なお加圧片15、25は、刃体10、20を閉じ方向82に閉じたときの衝撃を吸収するためのヒットポイントとしても機能する。
錠剤75を粉砕したのち、使用者が刃10a、20aの鋏機能を用いてパッケージ70を切断し、パッケージ70から粉状物を取り出して服用者に服用させる。
【００２４】
本実施形態では、支持台15D又は25Dの双方が形態の柔軟性を有しているが、いずれか一方の支持台15D又は25Dの形態のみに柔軟性をもたせ、他方の支持台15D又は25Dの形態は固定してもよい。一方の支持台15D又は25Dに柔軟性があれば、加圧片15、25の平坦面には同様に全面にわたって均一的に圧力が加わる。
【００２５】
また、分断片及び支持台はいずれか一方のハンドル10 b又は20bにのみ設けることもできる。この場合、一方にのみ設けられた分断片が接触する他方のハンドル部分が本発明の第一錠剤分断部又は第二錠剤分断部として機能する。
［第二の実施形態］
【００２６】
次に、本発明に係る錠剤分断機器の第二の実施形態を図5及び図6に基づいて説明する。図6は、図5に示す矢印92方向から見た図である。本実施形態における錠剤分断機能付き鋏は、錠剤を複数の部分に分割するための構成を備えている。
【００２７】
図5及び図6は、上述の第一の実施形態において示した加圧片25に相当する加圧片26近傍の拡大図である。この加圧片26の平坦面には分割用突起26Gが形成されている。この加圧片26で錠剤を加圧することによって、分割用突起26Gに沿って錠剤を約2分の1に分割することができる。その他の構成は上述の第一の実施形態におけるものと同様である。
【００２８】
ところで、たとえば錠剤を4分の1に分割したい場合は、一度分割したのち、錠剤を加圧片26に対して90度方向に回転させ、再度分割すればよい。分割用突起26Gの形状は図示したものに限らず、他の形状を採用することもできる。
【００２９】
また、本実施形態では直線上の分割用突起26Gを一つ形成した例を掲げたが、複数の分割用突起を形成し、一度の加圧でより細かく分割するようにしてもよい。たとえば、十字形の分割用突起26Gを形成しておけば、一度の加圧で錠剤を4分の1に分割することができる。
［第三の実施形態］
【００３０】
次に、本発明に係る錠剤分断機器の第三の実施形態を図7に基づいて説明する。本実施形態における錠剤分断機能付き鋏は、錠剤を粉状に粉砕するための構成と、錠剤を複数の部分に分割するための構成の双方を備えている。
【００３１】
図7は、上述の図6と同様の方向から見た状態を示している。スライド部50には、平坦面に滑り止め27Jが形成された加圧片27、及び平坦面に分割用突起28Gが形成された加圧片28が設けられている。
【００３２】
そして、スライド部50は上述の第一及び第二の実施形態において示した構成と同様、形態に弾力性を有する支持台（図示せず）を介してハンドル20bに取り付けられている。ただし、本実施形態におけるスライド部50は、支持台に対して矢印96、97方向にスライドして移動できるよう、接続されて取り付けられている。
【００３３】
錠剤を粉状に粉砕したい場合は、図7に示す状態にスライド部50を位置させ、加圧片27をハンドル20b上に配置する。そして、この状態で錠剤を加圧して粉砕する。これに対し、錠剤を複数の部分に分割したい場合は、スライド部50を矢印96方向にスライドして移動させ、加圧片28をハンドル20b上に配置する。そして、この状態で錠剤を加圧し、分割用突起28Gに沿って錠剤を分割する。
【００３４】
このように、スライド部50をスライドさせて移動させることによって、加圧片27又は加圧片28のいずれかを選択し、錠剤の粉砕又は分割いずれかを容易に行うことができる。その他の構成は上述の第一の実施形態におけるものと同様である。
【００３５】
なお、使用者がハンドル10b、20bを把持して使用する場合、スライド部50の背面側しか見えないため、加圧片27、28のいずれが選択されているか容易に確認できない。このため、スライド部50の背面にたとえば「粉砕」「分割」等の文字を表示し、加圧片27、28のいずれが選択されているか視認可能にすることもできる。
【００３６】
本実施形態においては、スライド部50に2つの加圧片27、28を設けたが、3つ以上の加圧片を設け、スライド部50のスライドによって3種類以上の加圧片を選択できるようにしてもよい。
［その他の実施形態］
【００３７】
本発明に係る錠剤分断機器は、上述の各実施形態において例示した構成に限定されるものではない。各実施形態においては、二つの刃体をネジで接続した洋鋏を例に掲げたが、1枚の細長い金属板の両端に刃を形成し、これをU字形に曲げてばね状に構成した和鋏に本発明を適用することもできる。この場合、曲げ部分が本発明における接続部として機能する。
【００３８】
また、本発明の保持面は錠剤を保持するために十分な面であればよく、必ずしも平坦面である必要はない。たとえば、複数の突起が形成された面を保持面として採用することもできる。
【００３９】
さらに、上述の各実施形態においては、加圧片の平坦面は錠剤よりも大きく形成されている例を示したが（図4参照）、錠剤を保持することができる大きさであればよく、錠剤よりも小さい平坦面を採用することもできる。また、上述の各実施形態においては、円形の加圧片を例示したが、四角形等、他の形状に構成することもできる。
なお、各実施形態においては、錠剤分断機能付き鋏を病院等の医療現場で用いる例を掲げたが、服用者が自宅等で自ら錠剤を分断する際に用いても有用である。
【符号の説明】
【００４０】
10、20：刃体
10a、20a：刃
10b、20b：ハンドル
15、25、26、27、28：加圧片
30：ネジ
50：スライド部
【図１】
2018114099.tif 000003
【図２】
2018114099.tif 000004
【図３】
2018114099.tif 000005
【図４】
2018114099.tif 000006
【図５】
2018114099.tif 000007
【図６】
2018114099.tif 000008
【図７】
2018114099.tif 000009